(57)【特許請求の範囲】
【請求項１】
撮影レンズと、
前記撮影レンズが設けられた装置筐体と、
前記装置筐体に設けられた発光窓と、
第１位置と該第１位置とは異なる第２位置との間で移動可能であり、少なくとも該第１位置にある状態で、前記発光窓を介して照明光を被照明体に対して射出可能な第１照明手段と、
前記第１照明手段が前記第２位置に移動された状態下において、前記発光窓を介して前記被照明体に照明光を射出可能な第２照明手段と、
を備えることを特徴とする撮影装置。
【請求項２】
第１位置と該第１位置とは異なる第２位置との間で移動可能であり、少なくとも該第１位置にある状態で、光射出部を介して照明光を被照明体に対して射出可能な第１照明手段と、
前記第１照明手段が前記第２位置に移動された状態下において、前記光射出部を介して前記被照明体に照明光を射出可能な第２照明手段と、
を備える照明装置
及び撮影レンズを備え、
前記第２照明手段は、前記第１位置もしくはその近傍位置と、前記第１位置及び前記第２位置とは異なる第３位置との間で移動可能であり、前記第１照明手段の該第２位置への移動に伴って該第１位置に移動して、該第１位置から前記被照明体を照明し、
前記第１位置は、前記光射出部を有する装置筐体の内側の、該光射出部に対応する位置であり、
前記第２位置は、前記装置筐体の外側の位置であり、
前記第３位置は、前記装置筐体の内側であって、前記第１位置よりも前記撮影レンズの光軸側の位置であることを特徴とする撮影装置。
【請求項３】
前記第２照明手段は、前記第１位置もしくはその近傍位置と、前記第１位置及び前記第２位置とは異なる第３位置との間で移動可能であり、前記第１照明手段の該第２位置への移動に伴って該第１位置に移動して、該第１位置から前記被照明体を照明することを特徴とする請求項１に記載の撮影装置。
【請求項４】
前記第２照明手段は、前記第１照明手段が前記第２位置に移動された状態で、該第１照明手段が前記第１位置にあるときに占有していた空間の一部を介して、該第１位置から前記被照明体を照明するように、設けられていることを特徴とする請求項１又は２に記載の撮影装置。
【請求項５】
前記第１照明手段は、該第１照明手段の前記第２位置への移動に伴い、前記第１位置もしくはその近傍に配置される反射部材を有し、
前記第２照明手段は、前記反射部材及び前記光射出部を介して前記被照明体を照明することを特徴とする請求項４に記載の撮影装置。
【請求項６】
前記反射部材は、前記第１照明手段の前記第２位置への移動に伴い、該第１照明手段が前記第１位置にあるときに占有していた空間に配置されることを特徴とする請求項５に記載の撮影装置。
【請求項７】
前記第１照明手段は、前記第２位置にある状態でも、前記被照明体を照明可能であり、該第２位置にある状態では、前記第２照明手段による前記被照明体の照明方向に対して所定の角度をもって傾いた方向へ照明することを特徴とする請求項１〜６の何れか一項に記載の撮影装置。
【請求項８】
前記第１照明手段は前記照明光として閃光を前記被照明体に照射するものであり、
静止画の撮影時には、前記第１位置に前記第１照明手段がある状態で、該第１照明手段により前記被照明体としての被写体を照明することを特徴とする請求項１〜７の何れか一項に記載の撮影装置。
【請求項９】
前記第２照明手段は前記照明光として連続光を前記被照明体に照射するものであり、
動画の撮影時もしくは静止画の連続撮影時には、前記第２位置に前記第１照明手段がある状態で、前記第２照明手段により前記被照明体としての被写体を照明することを特徴とする請求項１〜８の何れか一項に記載の撮影装置。
【請求項１０】
静止画の撮影時に、前記第２位置に前記第１照明手段がある状態で、該第１照明手段により前記被照明体としての被写体を照明することに加えて、前記第２照明手段により該被写体を照明することを特徴とする請求項１〜９の何れか一項に記載の撮影装置。
【発明の詳細な説明】
【技術分野】
【０００１】
本発明は、被照明体を照明する照明装置を備えるデジタルカメラ等の撮影装置に関する。
【背景技術】
【０００２】
静止画撮影可能なデジタルカメラの多くは動画も撮影可能であり、また、動画を撮影可能なビデオカメラの多くは静止画も撮影可能である。こうした静止画・動画両方を撮影可能なカメラには、夜間やその他、照明が必要な撮影に対応するため、閃光を発生する静止画撮影用の照明装置と連続光を発生する動画撮影用の照明装置とをそれぞれ備えるカメラが提案されている。
【０００３】
例えば、下記特許文献１には、静止画の撮影が可能なビデオカメラにおいて、静止画撮影用の照明としてＸｅ（キセノン）管とこれに対応した発光窓を有する照明装置、及び動画撮影用の照明としてＬＥＤとこれに対応した発光窓を有する照明装置、即ちそれぞれ独立的に構成された照明装置を２つ備えるものが開示されている。
【０００４】
また、下記特許文献２には、カメラの正面に単一の発光窓を設け、その裏面側（カメラ内部）に、静止画撮影用のＸｅ管と、これを挟み込むように一対の動画撮影用のＬＥＤとを配置固定したもの、即ち、単一の照明装置内に２つの発光部を備えるものが開示されている。この特許文献２には、Ｘｅ管及びこれに対応する発光窓を有する照明装置と、ＬＥＤ及びこれに対応する発光窓を有する照明装置とを上下に二段に配置したものも開示されている。
【０００５】
さらに、下記特許文献３には、単一の発光窓の裏面側（カメラ内部）に２つの反射面を有するプリズムを設け、その上側にＸｅ管を、下側にＬＥＤを設けて、Ｘｅ管による照明光をプリズムの一方の反射面で反射させ、ＬＥＤによる照明光をプリズムの他方の反射面で反射させて、単一の発光窓から射出するようにしたものが開示されている。
【０００６】
ところで、カメラに設けられる撮影レンズとしては、該カメラ本体の正面に突出して設けられるもの、あるいは撮影時（電源オン時等）には突出し、非撮影時（電源オフ時等）にカメラ本体内に埋没して収容される沈胴式のものなどがある。このようなカメラにおいては、発光窓より前側に撮影レンズ（鏡筒）が存在することになるため、発光窓から射出される照明光が該撮影レンズによって遮られる（ケラレる）ことなく被写体に向かうように、発光窓の位置を最適化する（撮影レンズから十分に離れた位置に設ける）必要がある。
【０００７】
しかしながら、特許文献１に記載のものでは、それぞれ発光窓を有する互いに独立した２つの照明装置を撮影レンズから十分に離間させて配置する必要があるため、カメラの小型化の支障になる場合がある。
【０００８】
また、特許文献２に記載のものは、発光窓はＸｅ管とＬＥＤとで共通なので、かかる問題はないものの、Ｘｅ管にＬＥＤを近接して配置しているので、一方の発光による照明光が他方によって遮られて光量が低下したり、Ｘｅ管により発生する熱がＬＥＤの寿命や発光特性に悪影響を与える場合があるという問題がある。特許文献２の照明装置を二段に構成したものでは、特許文献１と同様の問題がある。
【０００９】
さらに、特許文献３に記載のものは、特許文献２と同様に、発光窓はＸｅ管とＬＥＤとで共通なので、特許文献１に記載のもののような問題はないが、発光窓と反射部材の間に固定されたプリズムがあるため、厚くなり、小型化を妨げる原因となる。
【００１０】
本発明はこのような点に鑑みてなされたものであり、光量の低下や特性に悪影響を与えることなく、装置の小型化を図ることを目的とする。
【特許文献１】特開２００４−１０４７６５号公報
【特許文献２】特開２００５−２１０７２３号公報
【特許文献３】実用新案登録３１２６８７０号公報
【発明の開示】
【課題を解決するための手段】
【００１１】
この項の説明では、後述する実施形態を表す図面に示す部材等を示す符号を括弧を付して付記するが、これは単に理解の容易化のためであり、本発明の各構成要件は、これら部材等を示す符号を付した図面に示す部材等に限定されるものではない。
【００１２】
本発明によると、撮影レンズ（１２）と、前記撮影レンズが設けられた装置筐体（１１）と、前記装置筐体に設けられた発光窓（１４）と、第１位置と該第１位置とは異なる第２位置との間で移動可能であり、少なくとも該第１位置にある状態で、前記発光窓を介して照明光を被照明体に対して射出可能な第１照明手段（５４）と、前記第１照明手段が前記第２位置に移動された状態下において、前記発光窓を介して前記被照明体に照明光を射出可能な第２照明手段（５７）と、を備える撮影装置（１１）が提供される。
【００１４】
本発明では、第１照明手段が移動可能であるため、第１照明手段と第２照明手段とを十分に離間して配置することができるので、第１照明手段と第２照明手段とが近接しているために、互いに照明光を遮ることにより生じる光量の低下や熱による発光特性への悪影響を防止することができると共に、両者とも共通の光射出部としての発光窓を介して照明光を被照明体に対して射出可能であるので、それぞれに対応した発光窓を設ける場合と比較して、装置を小型に構成することができる。また、発光窓に対応する装置内部の位置がプリズム等によって占有されることがなく、かかる位置を第１位置として第１照明手段の通常の位置とし、必要に応じて第１照明手段を第２位置に移動させることにより、第２照明手段による照明が可能であるから、特許文献３に記載のもののように、装置内部の光射出部近傍にプリズム等を収容するための空間を確保する必要がなく、装置の小型化を図ることができる。
【発明の効果】
【００１５】
本発明によれば、光量の低下や特性に悪影響を与えることなく、装置の小型化を図ることができるという効果がある。
【発明を実施するための最良の形態】
【００１６】
以下、本発明の実施形態について、図面を参照して詳細に説明する。
【００１７】
〔第１実施形態〕
図１は本発明の第１実施形態に係る撮影装置としてのデジタルカメラの外観構成の概略を示す正面図、図２は同じく背面図である。この第１実施形態のカメラは、沈胴式の撮影レンズを備えるコンパクトタイプのデジタルカメラである。但し、これに限定されず、一眼レフ方式のデジタルカメラ、その他の方式のデジタルカメラであってもよい。また、カメラであればよく、静止画を撮影可能なデジタルビデオカメラであってもよい。撮影装置は、その名称に限定されることもなく、静止画（高速連写を含む）及び動画の撮影が可能な撮影機能を有するあらゆる電子装置等が含まれる。
【００１８】
図１に示されているように、カメラ１１はその正面に撮影レンズ１２を備えている。ここでは、撮影レンズ１２は、二段の沈胴式のズームレンズ鏡筒１３を備えて構成されている。この撮影レンズ１２は、電源オフ時又は非撮影時には、カメラ１１の内部に埋没して収容され、電源オン時又は撮影時には、カメラ１１から突出するようになっている。カメラ１１の正面の撮影レンズ１２の上側には、照明装置の一部を構成する光射出部としての発光窓１４が設けられている。この発光窓１４は、撮影レンズ１２が突出した状態で、発光窓１４から射出される照明光が撮影レンズ１２の鏡筒１３によって遮られて（ケラレて）被写体（被照明体）の照明が不十分とならないように、撮影レンズ１２の光軸（ＡＸ）から十分に離間した位置に配置されている。カメラ１１の上面には、シャッターボタン１５や不図示の電源ボタン等が設けられている。
【００１９】
また、図２に示されているように、カメラ１１の背面には、撮影画像や各種の情報を表示するための液晶パネルからなる液晶表示部１６、ズームボタン１７、再生ボタン１８、撮影モード切換スイッチ１９等が設けられている。撮影モード切換スイッチ１９は、ここでは、静止画撮影モード（Ｓｔｉｌｌ）と動画撮影モード（Ｍｏｖｉｅ）とを切り換えるスライド式のスイッチである。
【００２０】
図３は、図１のＡ−Ａ線に沿った断面図であって、撮影レンズ１２がカメラ１１の内部に収容された状態を示し、図４は、同じく撮影レンズ１２がカメラ１１から突出した状態を示している。
【００２１】
カメラ１１は、不図示のカメラフレームに前カバー２１及び後カバー２２を取り付けて構成されるカメラ筐体内に、撮影レンズ１２、照明装置２３、撮像素子としてのＣＣＤ２４、液晶表示部１６等を収容して構成されている。ＣＣＤ２４は、ＣＣＤ基板２５に実装されており、ＣＣＤ基板２５はカメラフレームの一部を構成するＣＣＤ保持部材２６に保持されている。ＣＣＤ２４は、その撮像面に結像した像を電気信号に変換し、不図示の制御部に撮像信号を出力する。ＣＣＤ２４の前面には、ＯＬＰＦ（オプティカル・ローパス・フィルタ）２７等の光学フィルタが配置されている。ＯＬＰＦ２７は、ＣＣＤ保持部材２６に支持固定されている。液晶表示部１６は、液晶保持金具２８を介してカメラフレームに取り付けられている。
【００２２】
撮影レンズ１２は、１群レンズ３１、２群レンズ３２、及び３群レンズ（フォーカスレンズ）３３を備えており、これらを介して被写体の像がＣＣＤ２４に結像される。１群レンズ３１は１群レンズ室３４に、２群レンズ３２は２群レンズ室３５に、３群レンズ３３は３群レンズ室３６にそれぞれ支持固定されている。１群レンズ室３４、２群レンズ室３５、及び３群レンズ室３６は、駆動機構によって光軸ＡＸに沿って移動されるようになっている。１群レンズ室３４及び２群レンズ室３５を駆動する駆動機構は、ＤＣモータ（不図示）、固定筒３７、カム筒３８、直進筒３９、及びギア機構等を備えて構成されている。
【００２３】
固定筒３７は、カメラフレームに固定されている。カム筒３８は、光軸ＡＸを中心として回転可能に支持されており、その外周に設けられたカムピン部３８ａが固定筒３７の内周に設けられたカム溝（不図示）に係合されている。また、カム筒３８の外周には、ギア部３８ｂが設けられている。このギア部３８ｂには、不図示のギア機構を介して、不図示のＤＣモータの回転駆動力が伝えられるようになっている。カム筒３８に回転駆動力が伝えられると、カムピン部３８ａと固定筒３７のカム溝との係合により、カム筒３８は、回転しながら光軸ＡＸに沿って進退する。カム筒３８の内周には、１群レンズ室３４の外周に設けられたカムピン部３４ａが係合するカム溝と、２群レンズ室３５の外周に設けられたカムピン部３５ａが係合するカム溝が設けられている。
【００２４】
１群レンズ室３４は、そのカムピン部３４がカム筒３８のカム溝に係合した状態で、カム筒３８の内周に挿入されている。直進筒３９はカム筒３８に回転自在に取り付けられており、光軸方向へは一体で移動する。直進筒３９は固定筒３７で回転制限されている。各レンズ室はカム筒の回転と直進筒３９による回転制限によって回転せず、光軸方向に進退する。直進筒３９は光軸ＡＸ方向に沿って設けられた複数のガイド溝を有しており、一方のガイド溝に１群レンズ室３４のカムピン部３４ａが、他方のガイド溝に２群レンズ室３５のカムピン部３５ａが係合している。これにより、カム筒３８が回転することで、１群レンズ室３４に固定された１群レンズ３１と２群レンズ室３５に固定された２群レンズ３２は、回転することなく光軸ＡＸに沿う方向に進退するようになっている。
【００２５】
３群レンズ室３６の駆動機構は、ギア４１ａを有する３群駆動ねじ４１、３群駆動ねじ４１に螺合された３群駆動ナット４２、及びギア４１ａにかみ合い、不図示のＤＣモータによって回転駆動されるギア４３を備えて構成されている。３群駆動ナット４２は３群レンズ室３６に固定されており、３群駆動ねじ４１が回転駆動されることにより、３群レンズ室３６に固定された３群レンズ３３が、光軸ＡＸに沿う方向に進退するようになっている。３群レンズ室３６の光軸ＡＸ方向の基準位置は、３群基準位置検出センサ３６ａによって検出される。４４はメカニカルシャッタであり、２群レンズ室３５に取り付けられている。なお、ギア４１ａを有する３群駆動ねじ４１、及びギア４３は、ＣＣＤ保持部材２６に回転自在に軸支されている。４５はギア押さえ板である。
【００２６】
カメラ１１内の撮影レンズ１２の上方であって、発光窓１４の裏面側の空間には、本発明が適用された照明装置２３が配置されている。この実施形態では、照明装置２３は、閃光を発生するキセノン（Ｘｅ）管５１、光反射傘（リフレクタ）５２、及びフラッシュ窓５３を備える第１照明手段としてのフラッシュ照明部５４と、ＬＥＤ基板５５ａに実装されたＬＥＤ５５及びＬＥＤ窓５６を備える第２照明手段としてのＬＥＤ照明部５７とを備えて構成されている。フラッシュ照明部５４とＬＥＤ照明部５７とは、上下で２段となるように発光部保持部材５８に保持されている。発光部保持部材５８には、発光部カバー５８ａが一体的に取り付けられており、この発光部カバー５８ａによって、フラッシュ照明部５４が保持される空間と、ＬＥＤ照明部５７が保持される空間とが、完全に分離されている。従って、キセノン管５１の発光に伴う発熱等による悪影響がＬＥＤ５５には及ばないようになっている。フラッシュ窓５３及びＬＥＤ窓５６は、発光部カバー５８ａに支持固定されており、発光部カバー５８ａの上面は、前カバー２１及び後カバー２２の上面と略同一平面をなしている。
【００２７】
発光部保持部材５８の裏面側には、それぞれ貫通穴を有する一対の突出部５９が設けられており、これらの貫通穴に発光部ガイド軸６０が挿入され、発光部保持部材５８がこの発光部ガイド軸６０に沿って上下にスライドできるようになっている。発光部ガイド軸６０は、カメラフレームに固定された発光部ガイド軸受け部材６１に固定されている。なお、発光窓１４、フラッシュ窓５３、及びＬＥＤ窓５６は、その何れか１つもしくは２つ又は全部が、光学平板もしくは開口、又はレンズとなっている。
【００２８】
この照明装置２３は、発光部保持部材５８が上下にスライドすることにより、前カバー２１からその一部（フラッシュ照明部５４）が突出するポップアップ状態及び完全に埋没される収納状態に状態切替できるようになっている。なお、収納状態へは使用者がポップアップ状態にあるフラッシュ照明部５４を押し込み操作することにより、切り替わる。上述のスライドによって、フラッシュ照明部５４が、図３のラインＡとラインＢとの交点部分として図示されているように、発光窓１４に対応する位置（第１位置）と、図５にラインＣで図示されているように、前カバー２１の上面に形成された略矩形状の開口から突出した位置（第２位置）との間で移動できるようになっている。ＬＥＤ照明部５７は、フラッシュ照明部５４が第１位置にある状態では、該フラッシュ照明部５４と撮影レンズ１２との間の位置（第３位置）にあり、フラッシュ照明部５４の第２位置への移動に伴い、ＬＥＤ照明部５７は発光窓１４に対応した位置（第１位置）に移動することになる。なお、このときのＬＥＤ照明部５７を、発光窓１４を介して発光可能でさえあれば、第１位置そのものではなく、第１位置近傍の位置に移動する構成にしておいても良い。
【００２９】
図６は照明装置２３をポップアップする機構の構成を示す図であり、図１のＢ−Ｂ線に沿った断面の一部を示している。ポップアップ機構は、ソレノイド（電磁石）６２、ロック部材６３、発光部保持部材５８を上方に付勢するバネ（不図示）等を備えて構成されている。
【００３０】
ソレノイド６２はカメラフレームに固定されており、その作動軸（鉄心）６２ａにロック部材６３の一端が回動可能に及び図６において上下方向に移動可能に連結されている。ロック部材６３はその中央部でカメラフレームに回動可能に軸支されている。ロック部材６３の他端は略鉤状のロック爪６３ａとなっており、発光部保持部材５８が不図示のバネの付勢力に抗して押し下げられた状態で、発光部カバー５８ａに一体的に設けられた略鉤状の発光部カバー係止爪５８ｂに係合できるようになっている。非作動時（非通電時）にはソレノイド６２の作動軸は、図６に示すように、バネ６２ｂの付勢力によって突出した状態となっており、ロック爪６３ａと発光部カバー係止爪５８ｂが係合して、フラッシュ照明部５４がカメラ１１の内部に収容された状態となっている。照明装置２３をポップアップするためにソレノイド６２が作動（通電）されると、図７に示されているように、その作動軸６２ａが埋没方向（矢印Ａ方向）に移動し、ロック部材６３が反時計方向（矢印Ｂ方向）に回転され、図８に示されているように、ロック爪６３ａの発光部カバー係止爪５８ｂに対する係合が解除され、照明装置２３が不図示のバネによる付勢力によって、矢印Ｃ方向にポップアップ、即ち、フラッシュ照明部５４がカメラ１１の上面から突出した第２位置に位置するように、発光部保持部材５８がスライドされる。
【００３１】
ソレノイド６２はその後、非作動とされ、作動軸６２ａが突出した状態の元の位置にバネ６２ｂの付勢力によって戻される。照明装置２３をカメラ１１内に収容する場合には、照明装置２３の突出した上面を使用者が手で押し下げることにより、ロック爪６３ａの一部が発光部カバー係止爪５８ｂと干渉して、ロック部材６３が僅かに反時計方向に回動された後に戻って、ロック爪６３ａが発光部カバー係止爪５８ｂに係合して、元の収容状態に戻すことができるようになっている。
【００３２】
静止画の撮影時には、フラッシュ照明部５４を発光窓１４に対応した位置（第１位置）に設定した状態、即ち、照明装置２３をカメラ１１の内部に収容した状態（図４に示した状態）で、フラッシュ照明部５４による閃光によって被写体の照明を行うことができる。また、動画の撮影時には、照明装置２３をポップアップさせて、ＬＥＤ照明部５７を発光窓１４に対応した位置（即ち、フラッシュ照明部５７を第２位置に）設定した状態（図５に示した状態）で、ＬＥＤ照明部５７による連続光によって被写体の照明を行うことができる。照明装置２３のポップアップは、カメラ１１に設けられた不図示のポップアップボタンを使用者が必要に応じて手動で押下することにより行うことができる。なお、事前のモード選択等に応じて、図２の撮影モード切換スイッチ１９が操作されて動画撮影モードに切り換えられた時に、カメラ１１の制御部（不図示）が自動でポップアップを行うようにしてもよい。この場合において、露出等に基づいて照明が必要と判断した場合にのみポップアップを行うようにしてもよい。
【００３３】
上述した第１実施形態によれば、図４に示されているように、発光窓１４は撮影レンズ１２が突出した状態で撮影レンズ１２によって遮られて（ケラレて）被写体を十分に照明できないことがないように、即ち図４中の２点鎖線で示す線の傾斜角度が大きくなるように、撮影レンズ１２の光軸ＡＸから十分に離間して配置されており、静止画の撮影時には、発光窓１４に対応して位置されているフラッシュ照明部５４による閃光によって照明し、このとき、ＬＥＤ照明部５７は、フラッシュ照明部５４と撮影レンズ１２との間の位置（第３位置）に設定されている。一方、動画の撮影時には、照明装置２３をポップアップして、ＬＥＤ照明部５７を当該発光窓１４に対応して位置させて、その連続光によって照明する。
【００３４】
このように、照明装置２３のポップアップにより単一の発光窓１４を介して、閃光と連続光とを切り換えて用いることができるので、それぞれに発光窓を配置していた従来技術（特許文献１）と比較して、カメラの小型化を図ることができる。また、フラッシュ照明部５４とＬＥＤ照明部５７は離間されて発光部カバー５８ａによって隔離された状態にあるので、ストロボ管とＬＥＤとを同一の空間に隣接して配置していた従来技術（特許文献２）と比較して、光量の低下や熱による悪影響が生じることもない。さらに、特許文献３のように、同一の発光窓からＸｅ管もＬＥＤも発光可能なように構成するために、発光窓の近傍にプリズムを固定配置するような構成では、そのプリズムのためのスペースを設ける必要があるが、本実施形態では、そのようなスペースを設けておく必要がなく、装置の小型化を図ることができる。
【００３５】
なお、上述した第１実施形態では、使用者による手動で押し下げることにより、照明装置２３をカメラ１１の内部に収容する（収納する）ようにしたが、モータ等を用いて、ポップアップ動作も収納動作もボタン操作によって行えるようにしてもよい。この場合において、撮影モード切換スイッチ１９によって静止画撮影モードから動画撮影モードに切り換えられた時にポップアップし、動画撮影モードから静止画撮影モードに切り換えられた時に収納するようにしてもよい。また、照明装置２３がポップアップ又は収納されたことを検出するセンサを設けて、静止画撮影モードにおいてポップアップされたことが検出されたときに、動画撮影モードに自動的に切り換え、あるいは動画撮影モードにおいて収納されたことが検出されたときに、静止画撮影モードに自動的に切り換えるようにしてもよい。
【００３６】
〔第２実施形態〕
次に、本発明の第２実施形態を説明する。図９及び図１０は本発明の第２実施形態のデジタルカメラの要部構成を示す図であり、図９は収納状態を、図１０はポップアップ状態を示している。上述した第１実施形態と実質的に同一の部分には同一の番号を付して、異なる部分のみについて説明する。
【００３７】
即ち、この第２実施形態では、フラッシュ照明部５４とＬＥＤ照明部５７との離間間隔を第１実施形態よりも大きくし、照明装置２３のスライドのストロークを大きくした点が相違する。第１実施形態では、図５に示したように、ポップアップ状態において、フラッシュ照明部５４はカメラ１１の上面（前カバー２１の上面）に対して比較的に低い位置にある。このため、ポップアップ状態でフラッシュ照明部５４及びＬＥＤ照明部５７の両方を発光させて光量アップを図ることを考慮した場合に、フラッシュ照明部５４による照明光の一部が前カバー２１によって遮られる（ケラレる）。
【００３８】
これに対して、第２実施形態では、ポップアップ状態で、フラッシュ照明部５４は、カメラ１１の上面（前カバー２１の上面）に対して第１実施形態よりも高い位置に設定されるため、前カバー２１によって遮られることなく照明光を被写体に向けて射出することが可能である。この場合において、フラッシュ照明部５４の配光を、該フラッシュ照明部５４が発光窓１４に対応した位置にある収納状態で、所定の近距離（例えば、５０ｃｍ）まで最適化するように設定されている場合、ポップアップさせることにより近距離側に十分な光が届かない可能性があるが、ＬＥＤ照明部５７を同時発光させることにより、ある程度補うことができる。また、フラッシュ照明部５４とＬＥＤ照明部５７の両方を発光させることによる光量アップが必要な状況は、遠距離撮影（例えば、２ｍｍ以上）であることが多いので、実用上、問題となることはないと考えられる。
【００３９】
図１１は第２実施形態のデジタルカメラの外観の概略を示す背面図であり、第１実施形態の図２に対応するものである。第１実施形態では、静止画撮影モードと動画撮影モードを切り換える撮影モード切換スイッチ１９を設けていたが、この第２実施形態では、静止画撮影モード（Ｓｔｉｌｌ）と静止画撮影モード／動画撮影モード（Ｓｔｉｌｌ／Ｍｏｖｉｅ）とを切り換える撮影モード切換スイッチ１９’としている。この切換スイッチ１９’を静止画撮影モード（Ｓｔｉｌｌ）に設定することにより、図９に示した収納状態でフラッシュ照明部５４を用いた照明による静止画撮影が可能となり、静止画撮影モード／動画撮影モード（Ｓｔｉｌｌ／Ｍｏｖｉｅ）に設定することにより、ＬＥＤ照明部５７を用いた照明による動画の撮影又はフラッシュ照明部５４及びＬＥＤ照明部５７の両方を用いた照明による静止画の撮影が可能となる。
【００４０】
〔第３実施形態〕
次に、本発明の第３実施形態を説明する。図１２及び図１３は本発明の第３実施形態のデジタルカメラの要部構成を示す断面図であり、図１２は収納状態を、図１３はポップアップ状態を示している。上述した第１実施形態と実質的に同一の部分には同一の番号を付して、異なる部分のみについて説明する。
【００４１】
即ち、第１実施形態では、フラッシュ照明部５４とＬＥＤ照明部５７とは、発光部保持部材５８に保持されて一体的に上下にスライドして、単一の発光窓１４からそれぞれの照明光を射出するようにしていた。これに対し、この第３実施形態では、フラッシュ照明部５４のみを、回動可能に軸支された発光部保持部材７１及び発光部カバー７１ａによって保持し、ＬＥＤ照明部５７を構成するＬＥＤ５５を上方を指向してカメラフレームに固定して設けている。発光部保持部材７１は前カバー２１の一部を構成すると共に、同図で紙面に略垂直に設けられた軸７２で軸支されてる。発光部カバー７１ａの下面は、同図に示されているように、発光部保持部材７２の軸７２を中心とした回転角度との関係で定められた所定角度の傾斜面となっており、この傾斜面にはミラー７３が固定されている。発光部保持部材７１が収納状態では、ＬＥＤ照明部５７による照明光の光路は該フラッシュ照明部５４（発光部カバー７１ａ）によって閉塞されている。発光部保持部材７１がポップアップ（時計方向に回動）されると、フラッシュ照明部５４が収納状態の時に占有していた空間（発光窓１４に対応する部分の空間）が開放され、ＬＥＤ照明部５７から上方に向けて射出された照明光は、該空間を光路としてミラー７３で反射されて、発光窓１４から射出されるようになっている。なお、フラッシュ照明部５４をポップアップさせる駆動機構や係止機構（図６参照）は、第１実施形態と同様である。また、この第３実施形態では、第１実施形態のようなＬＥＤ発光窓５６は設けていないが、設けても勿論よい。なお、ミラー７３は、必ずしも上述の発光部カバー７１ａの傾斜面に固定されていなくても良く、フラッシュ照明部５４が図１３に示すポップアップ状態になったときに、図１３に示す位置、あるいはその近傍の位置に移動配置されるように構成されるものであっても良い。
【００４２】
〔第４実施形態〕
次に、本発明の第４実施形態を説明する。図１４及び図１５は本発明の第４実施形態のデジタルカメラの要部構成を示す図であり、図１４は収納状態を、図１５はポップアップ状態を示している。上述した第１実施形態と実質的に同一の部分には同一の番号を付して、異なる部分のみについて説明する。
【００４３】
即ち、第１実施形態では、フラッシュ照明部５４とＬＥＤ照明部５７とは、発光部保持部材５８に保持されて一体的に上下にスライドして、単一の発光窓１４からそれぞれの射出光を射出するようにしていた。これに対し、この第４実施形態では、フラッシュ照明部５４とＬＥＤ照明部５７を、同図で紙面に略垂直に設けられた軸８２で回動可能に軸支された発光部保持部材８１に一体的に保持している。発光部保持部材８１には、前カバー２１の一部を構成する上面を有する発光部カバー８１ａが取り付けられている。発光部保持部材８１が収納状態では、フラッシュ照明部５４が発光窓１４に対応する位置に設定されており、発光部保持部材８１がポップアップ（時計方向に回動）されると、フラッシュ照明部５４が収納状態の時に占有していた空間にＬＥＤ照明部５７が移動して発光窓１４に対応する位置に設定される。なお、照明装置２３をポップアップさせる駆動機構や係止機構（図６参照）は、第１実施形態と同様である。ポップアップ状態で、静止画を撮影する際に、フラッシュ照明部５４及びＬＥＤ照明部５７の両方を発光させることにより、ＬＥＤ照明部５７よってキャッチライト照明（直接照明）を、フラッシュ照明部５７によってバウンス照明（間接照明）を行うことができる。この場合において、フラッシュ照明部５４をポップアップ状態でその角度を同図で紙面に垂直な軸回りに微調整できるように構成して、バウンス照明の角度を変更できるようにしてもよい。
【００４４】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【００４５】
例えば、上述した実施形態では、上段に配置されるフラッシュ照明部５４に閃光を発生するキセノン管５１を、下段に配置されるＬＥＤ照明部５７に連続光を発生するＬＥＤ５５を用いた場合について説明したが、両者ともＬＥＤとしてもよい。両者ともＬＥＤとする場合には、フラッシュ照明部５４として閃光を発生するＬＥＤを、ＬＥＤ照明部５７として連続光を発生するＬＥＤを用いる。この場合において、互いに発光量や特性の異なるＬＥＤを用いることができ、あるいは同じＬＥＤを用いて供給電流や制御方式を異なるものとしてもよい。また、キセノン管やＬＥＤにも限定されず、上段及び下段の一方が閃光を発生するものであり、他方が連続光を発生するものであればよい。
【００４６】
また、上述した実施形態では、照明装置２３を内蔵する撮影装置としてのデジタルカメラについての説明としたが、本発明は、照明装置を撮影装置やその他の装置に着脱可能に装着する形式（外付けタイプ）のその照明装置に適用することもできる。
【図面の簡単な説明】
【００４７】
【図１】本発明の第１実施形態のデジタルカメラの外観構成の概略を示す正面図である。
【図２】本発明の第１実施形態のデジタルカメラの外観構成の概略を示す背面図である。
【図３】図１のＡ−Ａ線に沿った断面図であり、撮影レンズが沈胴（カメラ内に収容）された場合を示している。
【図４】図１のＡ−Ａ線に沿った断面図であり、撮影レンズが突出された場合を示している。
【図５】本発明の第１実施形態の要部構成を示す断面図であり、照明装置をポップアップした場合を示している。
【図６】本発明の第１実施形態の照明装置のポップアップ機構を示す断面図である。
【図７】本発明の第１実施形態の照明装置のポップアップ機構の動作を示す断面図であり、係止状態を示している。
【図８】本発明の第１実施形態の照明装置のポップアップ機構の動作を示す断面図であり、係止が解除された状態を示している。
【図９】本発明の第２実施形態の要部構成を示す断面図であり、照明装置を収納した場合を示している。
【図１０】本発明の第２実施形態の要部構成を示す断面図であり、照明装置をポップアップした場合を示している。
【図１１】本発明の第２実施形態のデジタルカメラの外観構成の概略を示す背面図である。
【図１２】本発明の第３実施形態の要部構成を示す断面図であり、照明装置を収納した場合を示している。
【図１３】本発明の第３実施形態の要部構成を示す断面図であり、照明装置をポップアップした場合を示している。
【図１４】本発明の第４実施形態の要部構成を示す断面図であり、照明装置を収納した場合を示している。
【図１５】本発明の第４実施形態の要部構成を示す断面図であり、照明装置をポップアップした場合を示している。
【符号の説明】
【００４８】
１１…カメラ、１２…撮影レンズ、１３…鏡筒、１４…発光窓、１９，１９’…撮影モード切換ボタン、２３…照明装置、５１…キセノン管、５３…フラッシュ窓、５４…フラッシュ照明部、５５…ＬＥＤ、５６…ＬＥＤ窓、５７…ＬＥＤ照明部、５８，７１，８１…発光部保持部材、５８ａ，７１ａ，８１ａ…発光部カバー、５８ａ…発光部カバー係止爪、６０…発光部ガイド軸、６１…発光部ガイド軸受け部材、６２…ソレノイド、６２ａ…作動軸、６２ｂ…バネ、６３…ロック部材、６３ａ…ロック爪、７３…ミラー。
【図１】
0005115214.tif 000002
【図２】
0005115214.tif 000003
【図３】
0005115214.tif 000004
【図４】
0005115214.tif 000005
【図５】
0005115214.tif 000006
【図６】
0005115214.tif 000007
【図７】
0005115214.tif 000008
【図８】
0005115214.tif 000009
【図９】
0005115214.tif 000010
【図１０】
0005115214.tif 000011
【図１１】
0005115214.tif 000012
【図１２】
0005115214.tif 000013
【図１３】
0005115214.tif 000014
【図１４】
0005115214.tif 000015
【図１５】
0005115214.tif 000016